(57)【要約】【課題】芳香量の調整を簡易かつ確実に行うことができる無機材料製の芳香剤収納器を提供する。【解決手段】芳香剤を収納するための上方へ開放する無機材料製の容器体１と、当該容器体１に着脱可能に覆着され、蓋面に芳香剤の放出孔３２を設けた無機材料製の蓋体３と、蓋体３上に配設されて蓋上面の中心部に結合され、当該中心部周りに回動操作されて放出孔３２を開放ないし閉鎖する無機材料製の開閉部材５とを備え、蓋体３の蓋上面側に凹溝を設けるとともに開閉部材５の下面側に凸条を設け、開閉部材５が放出孔開放位置および放出孔閉鎖位置へ回動したときに開閉部材５の自重で凸条が凹溝に嵌入するようにする。【選択図】        図３
2008125585.tif 000002
【特許請求の範囲】
【請求項１】
芳香剤を収納するための上方へ開放する無機材料製の容器体と、当該容器体に着脱可能に覆着され、蓋面に芳香剤の放出孔を設けた無機材料製の蓋体と、前記蓋体上に配設されて蓋上面の中心部に結合され、当該中心部周りに回動操作されて前記放出孔を開放ないし閉鎖する無機材料製の開閉部材とを備え、前記蓋体の蓋上面および前記開閉部材の下面のいずれか一方に一又は複数の凸部を設けるとともに、いずれか他方に前記凸部が嵌入する一又は複数の凹部を設け、前記開閉部材が放出孔開放位置および放出孔閉鎖位置へ回動したときに前記開閉部材の自重で前記凸部が前記凹部に嵌入するようにしたことを特徴とする芳香剤収納器。  
【請求項２】
前記容器体の開口内周に樹脂製の第１連結部材を接合するとともに、前記蓋体の内周に樹脂製の第２連結部材を設けて、これら連結部材をそれぞれに形成されたネジ条で互いに着脱可能に結合するとともに、前記開閉部材の下面に樹脂製の節度付与部材を接合して、当該節度付与部材に形成した前記凸部を、前記第２連結部材に形成した前記凹部に嵌入させるようにした請求項１に記載の芳香剤収納器。 
【発明の詳細な説明】
【技術分野】
【０００１】
本発明は芳香剤収納器に関し、特に、陶磁器やガラス等の無機材料により容器部を成形した芳香剤収納器に関する。
【背景技術】
【０００２】
車両の室内に置く芳香剤収容器で容器を陶磁器製としたものが使用されているが、これらの多くは中蓋を備えて、この中蓋を外すと容器外壁に形成した気孔から香り成分が放出されるようになっている。
【０００３】
なお、特許文献１には車両付設のドリンクホルダに芳香剤を収納する引き出しを設けたものが示されている。また、特許文献２には車両の空調ダクト内に芳香消臭装置を設けたものが示されており、ここでは、芳香剤を収納するハウジングの円形開口部を、円形ポートを有する板状開閉部材の回動で開閉するようにしている。
【特許文献１】特開２０００−１８５５８８
【特許文献２】特開２００５−２３１４９３
【発明の開示】
【発明が解決しようとする課題】
【０００４】
しかし、上記従来の陶磁器製芳香剤収容器では、芳香量の調整のためにその都度中蓋を脱着する必要があり、操作が煩わしいという問題があった。
【０００５】
そこで、本発明はこのような課題を解決するもので、芳香量の調整を簡易かつ確実に行うことができる無機材料製の芳香剤収容器を提供することを目的とする。
【課題を解決するための手段】
【０００６】
上記目的を達成するために、本第１発明では、芳香剤を収納するための上方へ開放する無機材料製の容器体（１）と、当該容器体（１）に着脱可能に覆着され、蓋面に芳香剤の放出孔（３２）を設けた無機材料製の蓋体（３）と、蓋体（３）上に配設されて蓋上面の中心部に結合され、当該中心部周りに回動操作されて放出孔（３２）を開放ないし閉鎖する無機材料製の開閉部材（５）とを備え、蓋体（３）の蓋上面および開閉部材（５）の下面のいずれか一方に一又は複数の凸部（６１２）を設けるとともに、いずれか他方に凸部（６１２）が嵌入する一又は複数の凹部（４２１）を設け、開閉部材（５）が放出孔開放位置および放出孔閉鎖位置へ回動したときに開閉部材（５）の自重で凸部（６１２）が凹部（４２１）に嵌入するようにする。  
【０００７】
本第１発明においては、開閉部材を回動操作して芳香剤放出孔を開閉することにより、従来のように中蓋を脱着する煩わしい操作を要することなく、芳香量の調整を簡易かつ確実に行うことができる。そして、開閉部材が放出孔開放位置および放出孔閉鎖位置へ回動したときに開閉部材の自重で凸部が凹部に嵌入するようにしたことによって、放出孔の開放と閉鎖を適度な節度感をもって行うことができる。
【０００８】
本第２発明では、上記容器体（１）の開口内周に樹脂製の第１連結部材（２）を接合するとともに、蓋体（３）の内周に樹脂製の第２連結部材（４）を設けて、これら連結部材（２，４）をそれぞれに形成されたネジ条（２２ａ，４ａ）で互いに着脱可能に結合するとともに、開閉部材（５）の下面に樹脂製の節度付与部材（６）を接合して、当該節度付与部材（６）に形成した凸部（６１２）を、第２連結部材（４）に形成した凹部（４２１）に嵌入させるようにする。 
【０００９】
なお、上記カッコ内の符号は、後述する実施形態に記載の具体的手段との対応関係を示すものである。
【発明の効果】
【００１０】
以上のように、本発明の芳香剤収容器によれば、無機材料製の収容器において、芳香量の調整を簡易かつ確実に行うことができる。
【発明を実施するための最良の形態】
【００１１】
図１には芳香剤収納器の正面図を示し、図２にはその平面図を示す。また、図３には図２のIII−III線に沿った芳香剤収納器の断面図を示し、図４にはその分解斜視図を示す。芳香剤収納器は上方へ開放する陶磁器製の円形容器体１を備えており、当該容器体１内に芳香剤が装入される。容器体１の開口には、樹脂製で円形リング状の第１連結部材２が装着されている。第１連結部材２は下半２１が容器体１の開口内に挿入されてその開口縁内周に接着剤により接合されている。容器体１外に突出している第１連結部材２の上半２２には外周面にネジ条２２ａが形成されている。
【００１２】
容器体１の開口には蓋体３が覆着されている。蓋体３は陶磁器製で下方へ開放する円形容器状をなし、その蓋面３ａ（図４）には中心に円形開口３１が形成されるとともに、周方向の三箇所には径方向へ延びる長穴状の芳香剤放出口３２が設けられている。このような蓋体３内には第２連結部材４が挿入されている。第２連結部材４は樹脂製で、蓋体３よりもやや小径で下方へ開放する円形容器状をなし、その外周面が蓋体３の内周面に接着剤により接合されている。第２連結部材４には内周面にネジ条４ａが形成されて、このネジ条４ａを上記第１連結部材２のネジ条２２ａに捩じ込むことによって、蓋体３が容器体１に着脱可能に結合されている（図３）。
【００１３】
第２連結部材４の上面外周には周方向の三箇所に開口４１が形成されて、これらは蓋体３の芳香剤放出口３２に一致している（図３）。第２連結部材４の上面中心には円筒状の節度付与部４２が突出形成されて、蓋体３の円形開口３１を経て上方へ突出している。節度付与部４２の突出端面には図５に示すように、周方向の６箇所に径方向へ横断する凹溝４２１が形成されている。
【００１４】
蓋体３の上方には開閉部材５が位置している。開閉部材５は陶磁器製で、その外形は周方向の三箇所が内方へ大きくくびれて花弁部５１を形成したクローバ形状をなし（図４）、下方へ開放する浅い容器状に形成されている。開閉部材５の中心下面には取付用軸部５２が突出形成されるとともに、周方向の三箇所の外壁内面には取付用壁部５３が突出形成されている。このような開閉部材５の空間内には節度付与部材６が挿置されている。
【００１５】
図６に節度付与部材６の平面図を示し、図７には図６のＸ方向から見た側面図を示す。また、図８には図６のVIII-VIII線に沿った拡大断面図を示す。節度付与部材６は樹脂製で、上下方向に延びる貫通孔６１１を設けた中心部６１から、等角度で水平の三方向へ脚部６２が延びている。各脚部６２はＵ字断面に成形されており、その先端部内に開閉部材５の取付用壁部５３を嵌入させて（図３）これらを互いに接着してある。また、開閉部材５の取付用軸部５２は節度付与部材６の貫通孔６１１内に挿入されてここに接着されている。節度付与部材６の中心部６１は下方へ突出しており（図７）、その外周には周方向の三箇所に、外周面から脚部６２の下面へ延びる凸条６１２が形成されている（図８）。  
【００１６】
上記中心部６１は第２連結部材４の節度付与部４２の筒内に相対回動可能に挿入されており（図３）、一方、中心部６１の筒下方からは筒内へタッピングネジ６１３が捩じ込まれて、その鍔が節度付与部４２の筒下端に当接して、節度付与部材６とこれと一体の開閉部材５の抜けを防止している。この状態で、節度付与部材６の各脚部６２下面へ延びた凸条６１２が開閉部材５の自重を受けて、第２連結部材４の節度付与部４２の突出端面に形成された凹溝４２１（図５参照）に一つおきに嵌入している（図９（１））。これにより開閉部材５は図２に示すように、その花弁部５１によって蓋体３の芳香剤放出口３２を閉鎖する位置で位置決めされている。この状態では芳香剤は開閉部材５と蓋体３の隙間から僅かに放出されるだけである。
【００１７】
芳香剤を十分に放出させる場合には、開閉部材５を左右いずれかに回動させる。これにより凸条６１２が開閉部材５の自重に抗して凹溝４２１から抜け出す（図９（２））。開閉部材５を略６０°回動させると凸条６１２は次の凹溝４２１に至って開閉部材５の自重で当該凹溝４２１内に嵌入する（図９（３））。これにより、図１０に示すように、開閉部材５の花弁部５１は蓋体３の芳香剤放出口３２上から移動して、当該放出口３２を開放した位置で位置決めされる。さらに開閉部材５を略６０°回動させると凸条６１２はさらに次の凹溝４２１に至って開閉部材５の自重で当該凹溝４２１内に嵌入し、花弁部５１により蓋体３の芳香剤放出口３２を再び閉鎖する位置で開閉部材５が位置決めされる。
【００１８】
このように、開閉部材５を適度な節度感を伴って６０°毎に回動させることにより、芳香剤の放出口３２を交互に開放ないし閉鎖させて、簡易かつ確実に芳香量の調節を行うことができる。なお、凸条６１２は一つだけ設けても良い。また、凸条６１２を蓋体３側に、凹溝４２１を開閉部材５側に設けるようにしても良い。
【図面の簡単な説明】
【００１９】
【図１】本発明の一実施形態を示す、芳香剤収納器の正面図である。
【図２】芳香剤放出口閉鎖時の芳香剤収納器の平面図である。
【図３】図２のIII−III線に沿った芳香剤収納器の垂直断面図である。
【図４】芳香剤収納器の分解斜視図である。
【図５】第２連結部材に形成された節度付与部の平面図である。
【図６】節度付与部材の平面図である。
【図７】図６のＸ方向から見た節度付与部材の側面図である。
【図８】図６のVIII-VIII線に沿った節度付与部材の拡大断面図である。
【図９】節度付与部材と第２連結部材に形成した凸条と凹溝の概略断面図である。
【図１０】芳香剤放出口開放時の芳香剤収納器の平面図である。
【符号の説明】
【００２０】
１…容器体、２…第１連結部材、２２ａ…ネジ条、３…蓋体、３２…芳香剤放出口、４…第２連結部材、４ａ…ネジ条、４２１…凹溝（凹部）、５…開閉部材、６…節度付与部材、６１２…凸条（凸部）。
【図１】
2008125585.tif 000003
【図２】
2008125585.tif 000004
【図３】
2008125585.tif 000005
【図４】
2008125585.tif 000006
【図５】
2008125585.tif 000007
【図６】
2008125585.tif 000008
【図７】
2008125585.tif 000009
【図８】
2008125585.tif 000010
【図９】
2008125585.tif 000011
【図１０】
2008125585.tif 000012